(57)【要約】【課題】反転渡し胴から反転胴への枚葉紙の受け渡しの精度を向上した印刷機を提供することをその課題とする。【解決手段】反転渡し胴１５が反転胴１７に枚葉紙を受け渡す時、図２、４、６に示すように、第１アーム２１はカムフォロア２１ｄとカムの作用により、ばねの付勢力に抗して時計方向に回動し、これにより第２アーム２７が時計方向、第３アーム２９が反時計方向に回動し、捕捉部材Ｃは反転渡し胴１５の回転方向と逆方向、すなわち時計方向に回動した状態となる。よって、吸引孔Ｃ３を備えた後端載置面Ｃ２は反転渡し胴１５の外周面１５ｂと同一周面上に位置する。このように構成することにより、枚葉紙の後端を反転胴１７に精度よく確実に受け渡すことが可能となる。【選択図】  図４
2012096476.tif 000002
【特許請求の範囲】
【請求項１】
枚葉紙を供給する渡し胴と、枚葉紙を反転させるための反転機構を備えた反転胴と、該渡し胴と該反転胴との間に配置され、該渡し胴から供給される枚葉紙をその外周面に載置し、該反転胴に受け渡す反転渡し胴とを有し、該反転渡し胴には枚葉紙の後端を該反転胴に受け渡す際に、枚葉紙の後端を伸張させる方向へ移動する捕捉部材が備えられ、該捕捉部材には枚葉紙の後端を載置する後端載置面が設けられた印刷機において、該捕捉部材が枚葉紙の後端を伸張させる方向へ移動する時、該後端載置面が該反転渡し胴の外周面と同一周面上に位置することを特徴とする印刷機。
【請求項２】
該捕捉部材が枚葉紙の後端を伸張させる方向と逆方向へ移動する時、該後端載置面が該反転渡し胴の外周面よりも該反転渡し胴の径方向で突出した位置にあることを特徴とする請求項１記載の印刷機。
【発明の詳細な説明】
【技術分野】
【０００１】
本発明は、片面及び両面印刷可能な印刷機に関するものであり、特に両面印刷時に反転渡し胴上の枚葉紙を吸着保持しながら伸張させるように構成した技術に関するものである。
【背景技術】
【０００２】
一般に、片面及び両面印刷可能な印刷機は、裏面を印刷可能にするための反転機構を有しており、この反転機構の一部である反転渡し胴には、枚葉紙の後端を吸引する為の捕捉部材が設けられている。特許文献１にはこの技術に関する開示があり、両面印刷時には、この捕捉部材が枚葉紙の後端を吸着保持しながら反転渡し胴の回転方向とは逆に回動し、枚葉紙の後端を伸張させ、反転胴へ枚葉紙を受け渡すよう構成されている。
【先行技術文献】
【特許文献】
【０００３】
【特許文献１】特開昭６１−１２０７４９号公報
【発明の概要】
【発明が解決しようとする課題】
【０００４】
ところが特許文献１の構成では、図示からも分かるとおり、捕捉部材は回動する前に胴周面と同一高さにあるため、捕捉部材が回動した時に、捕捉部材が胴周面よりも胴の径方向で胴の中心側へ落ち込むので、枚葉紙の後端に段差が生じ、反転胴への受け渡しにおいて、受け渡し精度が低下する可能性があった。これは、捕捉部材の回動半径が胴の半径よりも小さいため、回動軌跡が胴外周面の軌跡と一致しないからである。よって受け渡しにおいて改善の余地があった。
【０００５】
本発明はこのような問題を解決するためになされたもので、その目的は、反転渡し胴から反転胴への枚葉紙の受け渡しの精度を向上した印刷機を提供することである。
【課題を解決するための手段】
【０００６】
本発明は上記目的を達成するため、枚葉紙を供給する渡し胴１３と、枚葉紙を反転させるための反転機構を備えた反転胴１７と、該渡し胴１３と該反転胴１７との間に配置され、該渡し胴１３から供給される枚葉紙をその外周面１５ｂに載置し、該反転胴１７に受け渡す反転渡し胴１５とを有し、該反転渡し胴１５には枚葉紙の後端を該反転胴１７に受け渡す際に、枚葉紙の後端を伸張させる方向へ移動する捕捉部材Ｃが備えられ、該捕捉部材Ｃには枚葉紙の後端を載置する後端載置面Ｃ２が設けられた印刷機において、該捕捉部材Ｃが枚葉紙の後端を伸張させる方向へ移動する時、該後端載置面Ｃ２が該反転渡し胴１５の外周面１５ｂと同一周面上に位置することを特徴とする。
【０００７】
また、本発明は、該捕捉部材Ｃが枚葉紙の後端を伸張させる方向と逆方向へ移動する時、該後端載置面Ｃ２が該反転渡し胴１５の外周面１５ｂよりも該反転渡し胴１５の径方向で突出した位置にあることを特徴とする。
【発明の効果】
【０００８】
本発明による印刷機によれば、捕捉部材が枚葉紙の後端を伸張させる方向へ移動する時、後端載置面が反転渡し胴の外周面と同一周面上に位置するので、枚葉紙の後端を反転胴に精度よく確実に受け渡すことのできる印刷機を得ることが可能となる。
【０００９】
また、本発明による印刷機によれば、捕捉部材が枚葉紙の後端を伸張させる方向と逆方向へ移動する時、後端載置面が反転渡し胴の外周面よりも反転渡し胴の径方向で突出した位置にあるので、上述の効果に加え、渡し胴から供給される枚葉紙を反転渡し胴に早く確実に保持させることのできる印刷機を得ることが可能となる。
【図面の簡単な説明】
【００１０】
【図１】本発明の印刷機の一例を示す、一部を省略した概略断面側面図である。
【図２】反転渡し胴を示す、一部を省略した断面図である。
【図３】反転渡し胴の部分拡大断面図である。
【図４】反転渡し胴の図３と同様の部分拡大断面図である。
【図５】反転渡し胴の図３、４とは異なる部分拡大断面図である。
【図６】反転渡し胴の図５と同様の部分拡大断面図である。
【図７】図５の一部拡大図である。
【発明を実施するための形態】
【００１１】
次に本発明を実施するための形態について図面を参照して説明する。
【００１２】
図１は本発明の印刷機の一例を示す、一部を省略した概略断面側面図である。図１に示す通り、本実施形態に係る印刷機は枚葉オフセット印刷機である。この印刷機は、印刷用紙としての枚葉紙を送り出すための図示しない給紙部と、この給紙部からの枚葉紙に印刷を行うための印刷ユニットＡ１及び印刷ユニットＢ３と、枚葉紙を排紙するための図示しない排紙部とを備えている。なお、印刷機を構成する各部の具体的な構成は図に示すものに限定されるものではない。
【００１３】
前記印刷ユニットＡ１，印刷ユニットＢ３は、それぞれ、インキローラ群５、版胴７、ゴム胴９、圧胴１１を供えている。印刷ユニットＡ１，Ｂ３間には、両面印刷時に枚葉紙を反転させる機構が設けられている。具体的には、印刷ユニットＡ１の圧胴１１から供給される枚葉紙を受け取る渡し胴１３、該渡し胴１３から枚葉紙を受け取る反転渡し胴１５、そして該反転渡し胴１５から枚葉紙を受け取る反転胴１７である。
【００１４】
図２は反転渡し胴１５を示す、一部を省略した断面図である。反転渡し胴１５には枚葉紙の前端を把持する一対のグリッパ１９が設けられており、外周面１５ｂ上に枚葉紙を２枚搬送できるように構成されている。また、枚葉紙の後端を載置して吸引し、伸張させる捕捉部材Ｃもグリッパ１９に対応して一対設けられている。反転渡し胴１５はグリッパ１９と捕捉部材Ｃを１セットとして、左右対称な形状となっている。捕捉部材Ｃは軸Ｃ１を支点として回動可能に構成されている。
【００１５】
図３は反転渡し胴１５の部分拡大断面図である。反転渡し胴１５には第１アーム２１がその軸２１ａを軸支されて回動可能に設けられている。第１アーム２１の一端には当接部２１ｂが設けられており、この当接部２１ｂが反転渡し胴１５に設けられたストッパー２３に当接することにより第１アーム２１の回動は停止するようになっている。第１アーム２１の他端にはローラ２１ｃが設けられており、反転渡し胴１５に設けられた係合片２５（図２）と係合して、捕捉部材Ｃの回動を停止するように構成されている。
【００１６】
第１アーム２１にはカムフォロア２１ｄが設けられており、印刷ユニット内に固定された図示しないカムと当接している。カムは非円形で高低面を有している。第１アーム２１は図示しないばねにより常時反時計方向に付勢されているが、反転渡し胴１５の回転に伴い、カムフォロア２１ｄがカムの高い面に当接する時ばねの付勢力に抗して時計方向に回動する。図４にはこの高いカム面ＣＳが二点鎖線で示されている。
【００１７】
図５は反転渡し胴１５の図３、４とは異なる部分拡大断面図である。第１アーム２１の軸２１ａには第２アーム２７がその一端を固定されている。第２アーム２７の他端には第３アーム２９の一端が軸止されている。第３アーム２９の多端は捕捉部材Ｃの中間部に軸止されている。
【００１８】
図５〜図７ｂに示すとおり、捕捉部材Ｃの上部には枚葉紙の後端が載置される後端載置面Ｃ２が設けられている。後端載置面Ｃ２には吸引孔Ｃ３が設けられており、吸引孔Ｃ３はバルブＣ４を介して連通路Ｃ５に連通している。バルブＣ４は略円筒状で、その円筒面に吸引孔Ｃ３と連通する穴部が設けられており、その取手を把持して回転させることにより、図示しないポンプによる吸引作用が連通路Ｃ５を介して働いて枚葉紙を吸引する位置と、吸引しない位置とに選択可能である。
【００１９】
本実施形態の作用について説明する。反転渡し胴１５が渡し胴１３から枚葉紙を受け取る時、図３、５，７に示すように、第１アーム２１はばねの付勢力により反時計方向に回動し、これにより捕捉部材Ｃは反転渡し胴１５の回転方向、すなわち反時計方向に回動した状態となっている。よって、図７に示すように、吸引孔Ｃ３を備えた後端載置面Ｃ２は反転渡し胴１５の外周面１５ｂよりも突出した位置にある。このように構成することにより、渡し胴１３から受け渡された枚葉紙の後端をより早く吸着、載置することができ、枚葉紙を反転渡し胴１５に確実に保持させることが可能となる。
【００２０】
反転渡し胴１５が反転胴１７に枚葉紙を受け渡す時、図２、４、６に示すように、第１アーム２１はカムフォロア２１ｄとカムの作用により、ばねの付勢力に抗して時計方向に回動し、これにより第２アーム２７が時計方向、第３アーム２９が反時計方向に回動し、捕捉部材Ｃは反転渡し胴１５の回転方向と逆方向、すなわち時計方向に回動した状態となる。よって、吸引孔Ｃ３を備えた後端載置面Ｃ２は反転渡し胴１５の外周面１５ｂと同一周面上に位置し、枚葉紙を伸張させる。このように構成することにより、枚葉紙の後端を反転胴１７に精度よく確実に受け渡すことが可能となる。
【００２１】
尚、本発明は、前記実施形態に限定されるものではなく、本発明の要旨を逸脱しない範囲で種々の変更が可能である。例えば、前述の実施形態では、枚葉紙を渡し胴１３から受け取る時、後端載置面Ｃ２が反転渡し胴１５の外周面１５ｂよりも突出した位置にあるように構成していたが、枚葉紙を渡し胴１３から受け取る時も、枚葉紙を反転胴１７へ受け渡す時も、常に後端載置面Ｃ２を反転渡し胴１５の外周面１５ｂと同一周面上に位置するように構成してもよい。この場合、捕捉部材Ｃを反転渡し胴１５の軸１５ａに回動可能に設けることで実現が可能となる。
【００２２】
また、捕捉部材Ｃは軸Ｃ１を支点として回動可能に構成されていたが、この構成に限られず、たとえば渡し胴１５の径方向や外周面１５ｂの接線方向にスライド移動するようなものであってもよい。
【００２３】
また、前述の実施形態では、枚葉オフセット印刷機であったが、これに限定されず、枚葉紙を搬送する胴を有する印刷機であればグラビア印刷機やインクジェット印刷機のようなものであってもよい。
【産業上の利用可能性】
【００２４】
本発明に係る印刷機の搬送胴は、両面印刷が可能な印刷機において極めて有用である。
【符号の説明】
【００２５】
１…印刷ユニットＡ、３…印刷ユニットＢ、１３…渡し胴、１５…反転渡し胴、１７…反転胴、１９…グリッパ、２１…第１アーム、２３…ストッパー、２５…係合片、２７…第２アーム、２９…第３アーム、Ｃ…捕捉部材、Ｃ１…軸、Ｃ２…後端載置面、Ｃ３…吸引孔、Ｃ４…バルブ、Ｃ５…連通路
【図１】
2012096476.tif 000003
【図２】
2012096476.tif 000004
【図３】
2012096476.tif 000005
【図４】
2012096476.tif 000006
【図５】
2012096476.tif 000007
【図６】
2012096476.tif 000008
【図７】
2012096476.tif 000009